(57)【要約】      （修正有）【課題】水中生物の飼育密度を向上させても十分な水の浄化機能を有する飼育装置を提供する。【解決手段】飼育装置１００は、分離膜を有し、飼育槽１から抜き出された水を分離膜でろ過することで濃縮水と透過水を得る第１ろ過装置２と、前記第１ろ過装置２で得られた透過水に含まれる物質を生物処理する生物処理装置３と、前記生物処理装置３で処理された水を前記飼育槽に戻す還流部とを備える。【選択図】図１
2020068777.tif 000002
【特許請求の範囲】
【請求項１】
水および水中生物を収容する飼育槽と、
分離膜を有し、前記飼育槽から抜き出された水を分離膜でろ過することで濃縮水と透過水を得る第１ろ過装置と、
前記第１ろ過装置で得られた透過水に含まれる物質を生物処理する生物処理装置と、
前記生物処理装置で処理された水を前記飼育槽に戻す還流部と
を備える水中生物の飼育装置。
【請求項２】
前記第１ろ過装置の分離膜が限外ろ過膜であることを特徴とする
請求項１に記載の飼育装置。
【請求項３】
限外ろ過膜の分画分子量が20,000Da〜500,000Daである
請求項２または３に記載の飼育装置。
【請求項４】
限外ろ過膜がポリフッ化ビニリデン製の中空糸膜である
請求項２または３に記載の飼育装置。
【請求項５】
前記限外ろ過膜の原水側表面の水の接触角が１０３°以下であり、かつ原水側表面とろ過水側表面の接触角の差が１１°以上３０°以下である
請求項２〜４のいずれかに記載の飼育装置。
【請求項６】
第１ろ過装置の１次側を循環する循環流路を有する
請求項２〜５のいずれかに記載の飼育装置。
【請求項７】
前記生物処理装置が、微生物を担持する担体を備える
請求項１〜６のいずれかに記載の飼育装置。
【請求項８】
前記第１ろ過装置の分離膜よりも孔径の小さな分離膜によって、前記第１ろ過装置で得られた透過水をろ過することで濃縮水と透過水とを得る第２ろ過装置を備え、
前記生物処理装置は、前記第１ろ過装置で得られ、かつ前記第２ろ過装置でろ過される前の透過水に含まれる物質を処理するか、または第２ろ過装置で得られた透過水に含まれる物質を処理する
請求項１〜７のいずれかに記載の飼育装置。
【請求項９】
前記第１ろ過装置が分離膜として限外ろ過膜を有し、
前記第２ろ過装置が分離膜として逆浸透膜またはナノろ過膜を有することを特徴とする
請求項８に記載の飼育装置。
【請求項１０】
水中で水中生物を飼育する飼育工程、
分離膜を有する第１ろ過装置で前記飼育に用いられた水をろ過することで濃縮水と透過水とを得る第１ろ過工程、
ろ過された前記水中に含まれる物質を生物処理する生物処理工程、
ろ過および生物処理を経た水を水中生物の飼育に再利用する再利用工程、
を備える水中生物の生産方法。
【請求項１１】
前記第１ろ過工程の分離膜が限外ろ過膜である
請求項１２に記載の生産方法。
【請求項１２】
前記飼育工程は、前記水中生物に餌を与える給餌工程を含み、
前記給餌工程の前60分以内に前記第１ろ過装置の濃縮水を排出する第１給餌前排出工程をさらに含む、
請求項１０または１１に記載の生産方法。
【請求項１３】
前記飼育工程は、前記水中生物に餌を与える給餌工程を含み、
所定時間毎に前記第１ろ過装置の濃縮水を排出する第１定期排出工程と、
前記給餌工程後に前記第１ろ過工程を行った場合は、前記給餌工程直前の濃縮液の排出から前記所定時間が経過する前に、前記濃縮水の排出を行う第１給餌後排出工程と、
をさらに含む
請求項１０〜１２のいずれかに記載の生産方法。
【請求項１４】
前記第１ろ過工程における分離膜よりも孔径の小さな分離膜を有する第２ろ過装置によって、前記第１ろ過工程の透過水をろ過することで濃縮水と透過水とを得る第２ろ過工程をさらに備え、
前記生物処理工程は、前記第１ろ過工程で得られ、かつ前記第２ろ過工程でろ過される前の透過水に含まれる物質を処理するか、または前記第２ろ過工程で得られた透過水に含まれる物質を処理する
請求項１０〜１３のいずれかに記載の生産方法。
【請求項１５】
前記飼育工程は、前記水中生物に餌を与える給餌工程を含み、
前記給餌工程の前60分以内に前記第２ろ過装置の濃縮水を排出する第２給餌前排出工程をさらに含む
請求項１４に記載の生産方法。
【請求項１６】
前記第１ろ過工程の分離膜が限外ろ過膜であり、
前記第２ろ過工程の分離膜が逆浸透膜またはナノろ過膜であることを特徴とする生産方法。
請求項１４または１５に記載の生産方法。
【請求項１７】
飼育槽への餌の投与後４時間は、第１のろ過工程で処理される水の量を、餌の投与前の３倍〜２０倍とする
請求項１０〜１６のいずれかに記載の生産方法。
【発明の詳細な説明】
【技術分野】
【０００１】
本発明は、水中生物の飼育装置および生産方法に関するものである。
【背景技術】
【０００２】
近年、世界的な魚介類需要の高まりに応じ、従来のかけ流し方式に加え、内陸でも可能な半閉鎖型または完全閉鎖型の循環式陸上養殖による養殖生産がなされている。
【０００３】
循環式陸上養殖においては、飼育槽から抜き出された飼育水は種々の浄化装置を通じて飼育槽に返送される。
【０００４】
例えば特許文献１には、飼育水を生物処理装置に通じて飼育水中のアンモニア等を除去した後、不定期に圧力駆動分離膜モジュールに通じて病原菌やかびを除去する装置が開示されている。
【０００５】
また、特許文献２には、飼育水槽の沈降性懸濁物質と、水槽上部の上澄みからストレーナーで分離された浮遊性懸濁物質を膜分離活性汚泥処理装置で処理する方法が開示されている。
【０００６】
さらに、特許文献３には、酢酸セルロースまたはポリエーテルスルフォン製の限外ろ過膜に飼育水を通じ、得られた透過水を水槽に返送するか、または、限外ろ過膜のファウリングを招く有機物を分解するため、透過水を不定期に酸化物分解装置で処理した後水槽に返送するシステムが開示されている。
【先行技術文献】
【特許文献】
【０００７】
【特許文献１】特開平３−２８０８２１号公報
【特許文献２】特開２０１１−１３０６８６号公報
【特許文献３】特開２０１７−２０２４６７号公報
【発明の概要】
【発明が解決しようとする課題】
【０００８】
飼育密度を上げることで、魚介類の排泄物や残餌から生じるアンモニア等の魚介類生育阻害物質の量が増えると、特許文献１の方法では、巨大な生物処理装置が必要となる。よって、特許文献１の方法は、飼育密度が低く、フグ等の高級魚種に適用が限定されている。
【０００９】
また、特許文献２の方法では、ストレーナーの透過水は、前述の魚介類生育阻害物質は除去されずに飼育水槽に返送され、飼育密度を向上させた時にはその影響はより甚大になる。
【００１０】
特許文献３で使用される酸化物分解装置には次亜塩素酸ナトリウムが添加されるので、その次亜塩素酸ナトリウムとアンモニアとが反応し、クロラミンなどの魚介類の成育に影響を及ぼす物質が生じる。
【００１１】
本発明は、魚介類の飼育密度を向上させても十分な水の浄化機能を有する飼育装置を提供することを目的とする。
【課題を解決するための手段】
【００１２】
上記の課題を解決するために鋭意研究を行った結果、飼育水を分離膜に通じた後の透過水全量を、生物処理装置に通じることで、生物処理装置の大きさを変えることなく、飼育密度を向上させることが可能であることを見出した。
【００１３】
分離膜を用いて、飼育水中の有機物成分を除去した後、生物処理装置に通じることで、有機物が低減されていることで、生物処理装置では低分子のアンモニアや僅かな有機物のみを分解することになり、生物処理装置を大きくすることなく、飼育水中の魚介類の生育阻害物質を分解することが可能である。以上のとおり、本発明により魚介類の高密度飼育が可能となる。本発明は上記知見に基づいて成されたものであり、以下の技術を提供する。
【００１４】
［１］水および水中生物を収容する飼育槽と、
分離膜を有し、前記飼育槽から抜き出された水を分離膜でろ過することで濃縮水と透過水を得る第１ろ過装置と、
前記第１ろ過装置で得られた透過水に含まれる物質を生物処理する生物処理装置と、
前記生物処理装置で処理された水を前記飼育槽に戻す還流部と
を備える水中生物の飼育装置。
【００１５】
［２］前記第１ろ過装置の分離膜が限外ろ過膜であることを特徴とする
上記［１］に記載の飼育装置。
【００１６】
［３］限外ろ過膜の分画分子量が20,000Da〜500,000Daである
上記［２］または［３］に記載の飼育装置。
【００１７】
［４］限外ろ過膜がポリフッ化ビニリデン製の中空糸膜である
上記［２］または［３］に記載の飼育装置。
【００１８】
［５］前記限外ろ過膜の原水側表面の水の接触角が１０３°以下であり、かつ原水側表面とろ過水側表面の接触角の差が１１°以上３０°以下である
上記［２］〜［４］のいずれかに記載の飼育装置。
【００１９】
［６］第１ろ過装置の１次側を循環する循環流路を有する
上記［２］〜［５］のいずれかに記載の飼育装置。
【００２０】
［７］前記生物処理装置が、微生物を担持する担体を備える
上記［１］〜［６］のいずれかに記載の飼育装置。
【００２１】
［８］前記第１ろ過装置の分離膜よりも孔径の小さな分離膜によって、前記第１ろ過装置で得られた透過水をろ過することで濃縮水と透過水とを得る第２ろ過装置を備え、
前記生物処理装置は、前記第１ろ過装置で得られ、かつ前記第２ろ過装置でろ過される前の透過水に含まれる物質を処理するか、または第２ろ過装置で得られた透過水に含まれる物質を処理する
上記［１］〜［７］のいずれかに記載の飼育装置。
【００２２】
［９］前記第１ろ過装置が分離膜として限外ろ過膜を有し、
前記第２ろ過装置が分離膜として逆浸透膜またはナノろ過膜を有することを特徴とする
上記［８］に記載の飼育装置。
【００２３】
［１０］水中で水中生物を飼育する飼育工程、
分離膜を有する第１ろ過装置で前記飼育に用いられた水をろ過することで濃縮水と透過水とを得る第１ろ過工程、
ろ過された前記水中に含まれる物質を生物処理する生物処理工程、
ろ過および生物処理を経た水を水中生物の飼育に再利用する再利用工程、
を備える水中生物の生産方法。
【００２４】
［１１］前記第１ろ過工程の分離膜が限外ろ過膜である
上記［１２］に記載の生産方法。
【００２５】
［１２］前記飼育工程は、前記水中生物に餌を与える給餌工程を含み、
前記給餌工程の前60分以内に前記第１ろ過装置の濃縮水を排出する第１給餌前排出工程をさらに含む、
上記［１０］または［１１］に記載の生産方法。
【００２６】
［１３］前記飼育工程は、前記水中生物に餌を与える給餌工程を含み、
所定時間毎に前記第１ろ過装置の濃縮水を排出する第１定期排出工程と、
前記給餌工程後に前記第１ろ過工程を行った場合は、前記給餌工程直前の濃縮液の排出から前記所定時間が経過する前に、前記濃縮水の排出を行う第１給餌後排出工程と、
をさらに含む
上記［１０］〜［１２］のいずれかに記載の生産方法。
【００２７】
［１４］前記第１ろ過工程における分離膜よりも孔径の小さな分離膜を有する第２ろ過装置によって、前記第１ろ過工程の透過水をろ過することで濃縮水と透過水とを得る第２ろ過工程をさらに備え、
前記生物処理工程は、前記第１ろ過工程で得られ、かつ前記第２ろ過工程でろ過される前の透過水に含まれる物質を処理するか、または前記第２ろ過工程で得られた透過水に含まれる物質を処理する
上記［１０］〜［１３］のいずれかに記載の生産方法。
【００２８】
［１５］前記飼育工程は、前記水中生物に餌を与える給餌工程を含み、
前記給餌工程の前60分以内に前記第２ろ過装置の濃縮水を排出する第２給餌前排出工程をさらに含む
上記［１４］に記載の生産方法。
【００２９】
［１６］前記第１ろ過工程の分離膜が限外ろ過膜であり、
前記第２ろ過工程の分離膜が逆浸透膜またはナノろ過膜であることを特徴とする生産方法。
上記［１４］または［１５］に記載の生産方法。
【００３０】
［１７］飼育槽への餌の投与後４時間は、第１のろ過工程で処理される水の量を、餌の投与前の３倍〜２０倍とする
上記［１０］〜［１６］のいずれかに記載の生産方法。
【発明の効果】
【００３１】
本発明によって、循環式陸上養殖における水中生物の飼育密度を向上させることが可能となる。
【図面の簡単な説明】
【００３２】
【図１】本発明の飼育装置の一例を示す概略図である。
【図２】本発明の飼育装置の他の例を示す概略図である。
【図３】本発明の飼育装置のさらに他の例を示す概略図である。
【発明を実施するための形態】
【００３３】
１．飼育装置
飼育装置の一例について、図１〜図３を参照して説明する。図１〜図３は、本実施形態の飼育装置の概略側面図である。
【００３４】
図１〜図３に示すように、飼育装置１００〜１０２は、飼育槽１、ろ過装置（第１ろ過装置２、第２ろ過装置４）、生物処理装置３、飼育槽１と第１ろ過装置２とを接続する配管１１、第１ろ過装置２または第２ろ過装置４の透過側と生物処理装置３とを接続する配管２１、生物処理装置３の処理水を飼育槽１に返送する配管３１等を備える。
【００３５】
１−１．飼育槽飼育
飼育槽１は、その内部にて水中生物の飼育が行える水槽である。角形、円筒形、多角筒形
など様々な形状が適用可能である。水中生物については後述する。
【００３６】
飼育槽には飼育水の溶存酸素を観測するＤＯセンサー７０と、酸素を含む気体を供給する飼育槽気体供給装置７１を備える。気体供給装置は、飼育槽のみならず、分離膜への配管や、生物処理槽３に備えられても良い。飼育槽気体供給装置７１は、ＤＯセンサー７０で観測された値にしたがって、供給量、頻度を変更し、溶存酸素濃度が４ｍｇ／Ｌ以上になるように調整する。
【００３７】
１−２．ろ過装置
ろ過装置は、飼育水をろ過することで濃縮水と透過水とを得ることができればよく、容器と、その容器に収納された分離膜を備える。分離膜は中空糸膜でも平膜でもよい。飼育水は、配管１１を介して、飼育槽１からろ過装置に、ポンプ１２や水頭差を駆動力として送液される。
【００３８】
図１に示す形態では、飼育装置１００は、ろ過装置として、１種類の分離膜を備えた第１ろ過装置２を有する。
【００３９】
第１ろ過装置２が備える分離膜は、有機膜、無機膜のいずれであってもよい。分離膜は、例えば、分離膜として、ポリフッ化ビニリデン製、ポリスルホン製、ポリエーテルスルフォン製、ポリテトラフルオロエチレン製、ポリエチレン製、ポリプロピレン製、ポリアミド製、酢酸セルロース製、セラミックス製の膜が挙げられる。特に、飼育水による汚れが発生しにくく、かつ洗浄がしやすく、さらに気体による洗浄に対する耐久性に優れているポリフッ化ビニリデン製の分離膜が好ましい。
【００４０】
第１ろ過装置が有する分離膜の孔径としては、飼育水中の沈降性、浮遊性懸濁物質や溶解性の有機物であるタンパク質、多糖類、ペプチド、オリゴ糖、低分子化合物を分離することが出来るものであれば良く、精密ろ過膜、限外ろ過膜、ナノろ過膜、逆浸透膜のいずれでも良いが、後段の生物処理の負担を減らすためには、懸濁物質と、溶解性有機物の両方を除去することができる限外ろ過膜が好ましい。
【００４１】
限外ろ過膜は、飼育水の中の懸濁性物質、タンパク質、多糖類等を効果的に分離すると同時に、飼育水中成分による目詰まりでろ過を継続できなくなることを避けるには、分画分子量が２００００Ｄａ以上、５０００００Ｄａ以下の多孔性膜であることが好ましい。また、分離膜の形状は、平膜、中空糸膜などいずれの形状のものも採用することができるが、ろ過装置容積に比べ膜面積が広い中空糸膜が好ましい。膜の平均孔径は、ＡＳＴＭ：Ｆ３１６−８６記載の方法（別称：ハーフドライ法）にしたがって決定される。なお、このハーフドライ法によって決定されるのは、膜の最小孔径層の平均孔径である。
【００４２】
なお、ハーフドライ法による平均孔径の測定の標準測定条件は、以下のとおりである。
使用液体：エタノール
測定温度：２５℃、
昇圧速度：１ｋＰａ／秒
平均孔径［μｍ］は、下記式より求まる。
平均孔径［μｍ］＝（２８６０×表面張力［ｍＮ／ｍ］）／ハーフドライ空気圧力［Ｐａ］
エタノールの２５℃における表面張力は２１．９７ｍＮ／ｍである（日本化学会編、化学便覧基礎編改訂３版、ＩＩ-８２頁、丸善（株）、１９８４年）ので、本発明における標準測定条件の場合は、
平均孔径［μｍ］＝６２８３４．２／（ハーフドライ空気圧力［Ｐａ］）
にて求めることができる。
【００４３】
また、第１ろ過装置および後述の第２ろ過装置において、膜の形状は中空糸膜、平膜、モノリス膜のいずれでも良い。特に第１ろ過装置の膜は、中空糸膜であることで、単位体積あたりの膜面積を大きくとることができる。
【００４４】
中空糸膜のろ過方式としては、中空糸膜の外側から内側に向かってろ過を行う外圧式と、内側から外側に向かってろ過を行う内圧式のいずれでも良い。
【００４５】
外圧式中空糸膜の外径は、０．５ｍｍ以上３ｍｍ以下であることが望ましい。外径が０．５ｍｍ以上であることで、中空糸膜中に流れるろ過液の抵抗を比較的小さく抑えられる。また、外径が３ｍｍ以下であることで、飼育水または気体による外圧により中空糸膜がつぶれることを抑制できる。
【００４６】
内圧式中空糸膜の内径は、０．５ｍｍ以上３ｍｍ以下が望ましい。内径が０．５ｍｍ以上であることで、中空糸膜中に流れる飼育水の抵抗を比較的小さく抑えることができる。また、内径が３ｍｍ以下であることで、膜表面積を確保することができるので、ろ過装置の増大を抑制することができる。
【００４７】
本実施形態の分離膜は、原水に接触する膜表面（原水側表面）の水の接触角が１０３℃以下、かつ、原水側表面の接触角とろ過水に接触する膜表面（ろ過水側表面）の接触角の差が１１°以上３０°以下である。ろ過水側表面の接触角が原水側表面より大きいということは、ろ過水側表面の方がより疎水性であることを示す。
【００４８】
原水（飼育水）にはタンパク質や糖など多数の有機物が含まれており、多量の固形分による膜の閉塞を防ぐためには、膜は親水性であることが望ましい。しかし、後段の生物処理槽の負荷を下げるためには、膜の細孔を通過する有機成分も捕捉する必要がある。そこで、膜の原水側表面の接触角が１０３度以下、また、膜の原水側表面とろ過水側表面の接触角の差を１１度以上３０度以下とすることで、固形分による閉塞を抑制しながら、タンパク質等の低分子成分を捕捉することができる。  ろ過装置の容器は、耐圧性に優れる材質で作られており、円筒型、多角筒型など、飼育水を膜の１次側へ供給することができる形状であれば良い。液の流れやハンドリング性を考慮すると、容器は円筒型であることが好ましい。また、特に第１ろ過装置は、飼育槽内に浸漬することで用いられる浸漬型の膜分離装置であっても良い。
【００４９】
第１ろ過装置２にはさらに配管１３、１４が接続される。配管１３からは、第１ろ過装置２の分離膜を透過しなかった濃縮水が排出される。配管１４は一次側で水を循環させるように設けられる。配管１４にはポンプ１５が設けられる。
【００５０】
第１ろ過装置２の透過側に配管５３を接続し、洗浄バルブ５１、洗浄ポンプ５２を設けても良い。差圧制御部９により検出した膜間差圧により膜の閉塞状態を観測し、必要に応じてポンプ１２を停止してろ過を止め、洗浄バルブ５１を開け、洗浄ポンプ５２を起動し、膜の２次側から１次側に向かって水や薬液を送り、逆圧洗浄を行うことができる。１次側に透過した逆圧洗浄に用いた液体は、配管１３から排出する。配管５３、洗浄バルブ５１、洗浄ポンプ５２と同様の公正を、第２ろ過装置４の透過側に備えてもよい。  図２に示す飼育装置１０１は、第１ろ過装置に備えられた分離膜よりも孔径の小さい分離膜を備えた第２ろ過装置４を有する。第１ろ過装置２が限外ろ過膜を備える場合には、第２ろ過装置４はナノろ過膜または逆浸透膜を備える。第１ろ過装置２の透過水は、ポンプ２３によって、配管４１を介して第２ろ過装置４に送液され、第２ろ過装置４によってろ過される。これにより、生物処理の負荷を更に低減することが可能である。図２の例では、第１ろ過装置２の透過水は全て第２ろ過装置４に送られる。
【００５１】
また、本発明で用いるナノろ過膜、逆浸透膜の素材には、酢酸セルロースなどのセルロースエステル系ポリマー、ポリアミド、ポリイミド、ビニルポリマーなどの高分子素材を使用することができるが、前記のうち１種類の素材で構成される膜に限定されず、複数の素材を含む膜であってもよい。また、その膜構造は、膜の少なくとも片面に緻密層を持ち、緻密層から膜内部あるいはもう片方の面に向けて大きな孔径の細孔を有する非対称膜や、非対称膜の緻密層の上に別の素材で形成された非常に薄い機能層を有する複合膜のどちらでもよい。複合膜としては、例えば特開昭６２−２０１６０６号公報に記載のポリスルホンを膜素材とする支持膜にポリアミドの機能層からなるナノフィルターを構成させた複合膜を用いることができる。
【００５２】
ナノろ過膜または逆浸透膜を有する第２ろ過装置４において、膜は平膜であることが好ましく、形状はスパイラル型であることが好ましい。
【００５３】
第２ろ過装置４のろ過膜を透過しなかった濃縮液は、配管４２を介して排出される。
【００５４】
図３に示す飼育装置１０２は、図２に示す飼育装置１０１に加えて、図１の配管１４およびポンプ１５を備える。
【００５５】
１−３．生物処理装置
第１または第２ろ過装置の透過水は、ポンプ２２によって配管２１を介して生物処理装置３に送られる。生物処理装置３は、第１ろ過装置または第２ろ過装置の透過水を生物処理するための槽である。生物処理の方法としては、生物膜法または好気性ろ床法が好適である。
【００５６】
生物膜法は、多種の微生物の膜を利用する方法であり、例えば接触曝気法が多用される。該接触曝気法は、例えばプラスチックの接触材に微生物の膜を付着させ、その微生物によって有機物等を摂取、分解させる、担体保持型の生物膜にて処理する方法である。
【００５７】
好気性ろ床法は、内部にろ材を充填した生物膜ろ過方式の好気性ろ床を用いる方法であり、移動床式方法と固定床式方法とがある。ろ材としては、例えば多孔質セラミック等があげられ、該ろ材表面の好気性微生物により有機物を分解させ、ＢＯＤを低減、また、アンモニアを硝化細菌により硝酸に変換するものである。本発明では、特に、固定床方式による生物膜法を好適に用いることができる。
【００５８】
なお生物処理に用いることができる微生物として、通常、例えば従属栄養細菌、硝化菌、大腸菌、原生動物、ワムシ類、貧毛類、線虫類等があげられるが、第２ろ過装置４を設けない図１の例では、微生物としてはろ過装置から送られてきた透過水の水質に適したものが自然に順養されていく場合が多い。
【００５９】
生物処理装置を透過した水は、アンモニア等の魚の飼育に有害物質が十分に低減され、配管３１を介してポンプ３２によって飼育槽１に返送され再利用される。
【００６０】
２．水中生物の生産方法
本実施形態の生産方法は、以下の工程（ａ）〜（ｅ）を備える：
（ａ）水中で水中生物を飼育する工程と、
（ｂ）前記飼育に用いられた水を分離膜でろ過するろ過工程と、
（ｃ）ろ過された前記水中に含まれる物質を生物処理する工程と、
（ｄ）ろ過および生物処理を経た水を魚介類の飼育に再利用する工程
各工程について、図１〜図３の飼育装置を例にとって、以下に説明する。
【００６１】
２−１．水中で水中生物を飼育する工程
本発明において、水中生物とは、海水、淡水中において生育する魚介類、動物性プランクトンを指す。飼育対象とする水中生物に応じて、飼育水温度、餌料の種類、塩分濃度を選択すれば良い。
【００６２】
飼育中の蒸発や、飼育水をろ過装置および生物処理装置で処理する際に排出されて不足する水分については、適宜補給する。
【００６３】
また、電気伝導度法などにより飼育水中の塩分濃度をモニターし、不足分を適宜補給する。特に、飼育装置が有するろ過装置の種類によっては、塩分がろ過膜によって除去される場合がある。
【００６４】
飼育においては溶存酸素濃度を一定以上に維持することも重要なため、ＤＯセンサーにより溶存酸素濃度をモニターし、コンプレッサー、ブロワー等によるエア噴霧により水中の溶存酸素濃度を調整する。エア噴霧は、飼育槽に直接行われても良いし、生物処理装置において行われてもよい。
【００６５】
２−２．飼育に用いられた水を分離膜でろ過する工程
飼育水の一部は、断続的または連続的に槽外に引き抜かれ、ろ過される。ろ過によって、水中懸濁成分または溶解成分が除去される。
【００６６】
具体的には、図１〜図３においては、ポンプ１２によって、飼育水が飼育槽から引き抜かれ、配管１１を通ってろ過装置２に供給される。ろ過装置２では、飼育水はろ過により濃縮水と透過水とに分離される。
【００６７】
後述の通り、膜ろ過方法としてはクロスフローろ過、全量ろ過のいずれが採用されてもよい。また、いずれの方式においてもスクラビングを組み合わせることによって、より高い洗浄効率を実現することができる。スクラビングに用いられる気体としては、ガスボンベ、ブロアー、コンプレッサー、あるいは配管によって供給される圧縮ガスなどを使用することができる。これにより、魚の飼育、生物処理に必要な酸素供給を、より効果的に行うこともできる。
【００６８】
スクラビングの実行条件、すなわちスクラビング実行のタイミング、頻度、１回のスクラビング当たりの時間等は、具体的に限定されるものではない。スクラビングの実行条件は、膜間差圧、膜間差圧の変化、供給する気体の種類、等の様々な条件に応じて変更可能である。例えば、スクラビングは、連続して行っても良いし、前回のスクラビング終了から所定時間が経過する毎に行われてもよいし、ろ過装置２への飼育水の供給量、つまりろ過量または膜間差圧が所定の値に達する毎に行われてもよい。
【００６９】
ろ過の駆動力は、飼育槽１とろ過装置２との液位差（水頭差）にを利用するサイホンによって得られてもよいし、ポンプにより発生する膜間差圧によって得られてもよい。また、ろ過の駆動力として、ろ過装置２のろ液側に吸引ポンプが設置されてもよい。吸引ポンプの圧力により膜間差圧を制御することができる。さらに、ろ過装置２の一次側に導入する気体または液体の圧力によっても膜間差圧を制御することができる。ろ過装置２の一次側の圧力とろ液側の圧力との差を膜間差圧として検出し、この膜間差圧に基づいて、ポンプの制御等を行うことができる。
【００７０】
また、ろ過装置には、分離膜を逆圧洗浄する工程をさらに備えてもよい。図１の構成では、ろ過装置２の２次側に洗浄用配管が接続されているので、洗浄ポンプ４１を用いてろ過装置２に洗浄液を投入することができる。
【００７１】
逆圧洗浄実行時には、一時的に飼育水槽からろ過装置、生物処理装置への循環を停止する。すなわち、ろ過バルブが閉じ、かつポンプ１１が停止する。この状態で、洗浄バルブ５１が開き、洗浄ポンプ４１が稼働することで、逆圧洗浄が行われる。
【００７２】
逆圧洗浄に使用される洗浄液としては、水、海水、飼育水の一部、または、塩酸、硫酸、硝酸、水酸化ナトリウム、水酸化カルシウム、次亜塩素酸ナトリウムの水溶液またはそれらの混合液体などが挙げられる。
【００７３】
図１〜図３の構成では、ポンプ１２によって、飼育槽１からろ過装置２へ培養液が供給される。また、差圧制御部９によって検知された膜の１次側と２次側の圧力差である膜間差圧に応じて、ポンプ１２の動作が制御されることで、ろ過装置２に供給される飼育水の量が適切に調整される。
【００７４】
ろ過は連続的に行うこともできるし、間欠的に行うこともできる。間欠的に行う場合は、ろ過は、予め定められた時間をおいて行われてもよいし、飼育槽中の水の濁度、特定の成分の濃度、または他のパラメータが所定値に到達した段階で行われてもよい。予め定められたタイミングで行う場合は、例えばろ過を５〜１２０分間継続して実行する毎に、所定の時間（例えば０．１〜１０分間）ろ過を停止することができる。より好ましくは、ろ過を５〜６０分間継続するごとに、０．２５〜３分間ろ過を停止する。スクラビングは、ろ過停止中に行っても良いし、ろ過中に行っても良い。
【００７５】
また、図２、図３のように第１ろ過装置２の透過水を第２ろ過装置に供給する場合も、同様にポンプによりろ過の駆動力が得られる。
【００７６】
第１ろ過装置、第２ろ過装置の分離膜でのろ過は、前の装置から供給される水の全量をろ過する全量ろ過方式で行われても良いし、供給される水を膜面に対して平行に流し、供給水中の物質が膜面に堆積することを抑制するクロスフローろ過方式で行っても良い。
【００７７】
全量ろ過方式では、５〜６０分間ろ過を行った後、膜の一次側に溜まった阻止成分を含む水をろ過装置の下部から排出することで、膜の閉塞を抑制することが出来る。
【００７８】
クロスフローろ過方式において、ろ過装置の一次側を通過した水は、飼育槽に戻してもよいし、戻さずに排出してもよい。例えば、図１，図３に示す配管１４のようにろ過装置の一次側に繋がれた流路と、配管１４上のポンプ１５によって、一次側で水を循環させてもよい。この循環によって、分離膜で阻止された成分を濃縮することができる。こうして得られた濃縮液は最終的には膜の閉塞を招くため、閉鎖循環式によける水の再利用を損なわない程度に、定期的に排出する。
【００７９】
これら濃縮水の排出および洗浄は、膜の閉塞状態に合わせて適宜行えばよいが、特に、餌の投与後は、残餌の溶解拡散や、水中生物の排泄物および分泌物が増加し、飼育水質が悪化するため、餌投与の直前に、濃縮水を排出しておくことが好ましい。
【００８０】
排出された濃縮水には、残餌や水中生物の分泌物や排泄物など、多量の有機成分を含むので、これらを微生物など、水中生物の餌となる生物の飼育に活用しても良い。
【００８１】
飼育槽から第１ろ過装置およびまたは第２ろ過装置、生物処理装置への循環水量としては、１日あたり飼育槽中の飼育水量の１／１０量〜４０倍量を循環させることが望ましく、特に、１〜１０倍量を循環させることが望ましい。１／１０以下だと飼育水中の魚の成育阻害物質を十分に分解することができない。また、４０倍以上だと、循環にかかる電力費コストが大きくなる。
【００８２】
また、餌の投与後は残餌の溶解拡散や、水中生物の排泄物・分泌物が増加し、飼育水質が悪化するため、餌の投与後から４〜１０時間は、循環水量を平常時の３〜２０倍に変更することが好ましい。
【００８３】
２−３．ろ過された前記水中に含まれる物質を生物処理する工程
ろ過装置の透過水は、用いた分離膜の種類に応じて、飼育水成分のタンパク質、多糖類、ペプチド、糖等が除去されている。この透過水を、ポンプ２２を用いて生物処理装置に供給する。生物処理装置では、微生物群集で構成された生物膜形成担体に接触することで、担持微生物による代謝反応を受けて、飼育水中に残留していたアンモニアは硝酸に、その他成分についても分解され、透過水中には少量の硝酸のみが残った状態になる。
【００８４】
生物処理装置３における透過水の生物処理の条件は、十分な処理効果が得られる限り特に限定がなく、透過水の水質や水温等に応じて適宜変更することができるが、例えば生物処理時間（滞留時間）は５〜６００分間程度、さらには７〜６０分間程度であることが好ましい。また、生物処理装置において微生物の増殖による目詰まりを防止するため、生物担体の槽外洗浄や、水の透過する方向とは逆向きに水を通す逆圧洗浄を定期的に行っても良い。
【００８５】
こうして、ろ過装置、生物処理装置を経た飼育水は、残餌や水中生物の排泄物などは全て分解、浄化された状態になる。
【００８６】
２−４．ろ過および生物処理を経た水を水中生物の飼育に再利用する工程
生物処理装置の処理水は配管３１を通じてポンプ３２により飼育槽に返送され、水中生物の飼育水として再利用される。
【実施例】
【００８７】
以下、実施例を示して本発明についてより具体的に説明する。ただし、本発明はこれらの実施例に限定されない。以下の実施例で用いた飼育装置の概略構成は、図１、２、３に示すとおりである。
【００８８】
（中空糸膜の接触角の測定方法）
中空糸膜の外表面の接触角の測定を行う場合は、膜を押しつぶして平らにし、スライドガラスの上にエポキシ樹脂で固定した。膜表面に水滴を滴下し、接触角測定器を使用してθ／２法によって接触角を求めた。θ／２法とは、水滴の左もしくは右の端点と頂点を結ぶ直線の、膜表面に対する角度（θ／２）から接触角θを得る方法である。５回ずつ測定を行い、その平均値を求めた。内表面の接触角の測定時は中空糸膜を長さ方向に切断して内表面側を露出させ、同様に樹脂で固定し、接触角を測定した。
【００８９】
（ろ過水のタンパク質濃度の測定方法）
飼育装置の分離膜２の透過水を採取し、プロテインアッセイCBB 溶液（5 倍濃縮）と反応させ、595 nｍの吸光を測定した。牛血清アルブミンを標準液として得られた検量線から、透過水中のタンパク質濃度を算出した。
【００９０】
（実施例１）
本実施例においては、図１の構成の装置を用いた。まず、養殖槽１に水道水３０Ｌを取水した。次に水道水を、ポンプ１２により加圧して、養殖槽１から分離膜２（ポリフッ化ビニリデン製中空糸限外ろ過膜、分子量１５００００、東レ製ＨＦＵ膜を切り出して０．２m2のテスト用膜モジュールに加工）に供給し、全量ろ過を行った。続いて、透過水を、ポンプ２１により生物処理槽３に供給した。生物処理槽３は、ＰＰ製リング状ろ材15mm×15mmに予め別水槽にてバクテリア定着させたものを充填した１０Ｌの固定床とした。限外ろ過膜、生物処理槽への循環流量は、９５Ｌ／ｄとなるように調整した。
【００９１】
続いて、養殖槽あたり鯉６匹（総量６００ｇ）を投入し、飼育を開始した。給餌は1日1回、鯉用養魚飼料を、飼育魚の重量の２−４％添加した。水温は２５℃、また、エアーポンプを飼育槽１および生物処理槽に接続して、飼育槽内の溶存酸素量が４mg/L以上になるようにエアを供給した。飼育を開始後、限外ろ過膜、生物処理槽への送液を６０分に1度停止し、限外ろ過膜の一次側の水を排出した。また、給餌の直前にも同様の排出操作を行った。この排出操作によって減った装置内飼育水と同量の水道水を養殖槽に追加した。
【００９２】
本方法により飼育を１ヶ月継続したが、斃死は１匹でその他は問題なく飼育を継続した。また、本分離膜の接触角は原水側表面では９１°、ろ過水側表面では１１８°であり、透過水中のタンパク質濃度は０．５ｍｇ／Ｌであった。
【００９３】
（比較例１）
実施例１における分離膜２を設けず、養殖水槽１から直接生物処理槽３に供給した。それ以外の飼育方法については、実施例１と同様の操作を行ったところ、飼育開始から１ヶ月内に、魚の半数が斃死した。生物処理槽の透過水を測定したところ、アンモニア濃度が２ｐｐｍを超えていることが判明した。
【００９４】
（実施例２）
実施例１において、分離膜２を分画分子量２００００のポリフッ化ビニリデン製中空糸限外ろ過膜を用いた以外は、同じ操作を行った。その結果、飼育１ヶ月を継続したが、斃死はなくその他は問題なく飼育を継続した。また、本分離膜の接触角は原水側表面では８９°、ろ過水側表面伝説は１１８°であり、透過水中のタンパク質濃度は０．５ｍｇ／Ｌであった。
【００９５】
（実施例３）
実施例１において、分離膜２を分画分子量５００００のポリフッ化ビニリデン製中空糸限外ろ過膜を用いた以外は、同じ操作を行った。その結果、飼育１ヶ月を継続したが、斃死はなくその他は問題なく飼育を継続した。また、本分離膜の接触角は原水側表面では８９°であり、ろ過水側表面では１１８°でであり、透過水中のタンパク質濃度は０．５ｍｇ／Ｌであった。
【００９６】
（実施例４）
実施例１において、分離膜２として分画分子量２０００００のポリフッ化ビニリデン製中空糸精密ろ過膜を用いた以外は、同じ操作を行った。その結果、飼育１ヶ月を継続したが、弊死は１匹でのみで、その他は問題なく飼育を継続した。また、本分離膜の接触角は原水側表面では１０３°であり、ろ過水側表面では１１４°であり、透過水中のタンパク質濃度は０．５ｍｇ／Ｌであった。
【００９７】
（実施例５）
実施例１において、分離膜２として孔径０．１μｍのポリフッ化ビニリデン製中空糸精密ろ過膜を用いた以外は、同じ操作を行った。その結果、飼育１ヶ月を継続したが、弊死は１匹でのみで、その他は問題なく飼育を継続した。
【００９８】
（実施例６）
実施例１において、分離膜２を分画分子量５００００のポリエーテルスルフォン製中空糸限外ろ過膜を用いた以外は、同じ操作を行った。その結果、飼育１ヶ月を継続したが、斃死はなくその他は問題なく飼育を継続した。
【００９９】
（実施例７）
本実施例においては、図２の構成の装置を用いた。まず、養殖槽１に水道水３０Ｌを取水した。次に水道水を、ポンプ１２により加圧して、養殖槽１から分離膜２（ポリフッ化ビニリデン製中空糸限外ろ過膜、分子量１５００００、東レ製ＨＦＭ膜を切り出して０．２m2のテスト用膜モジュールに加工）に供給し、全量ろ過を行った。続いて、限外ろ過膜の透過水をポンプ４１により加圧して分離膜４（ＴＣＫ社製ナノろ過膜ＮＥ７０）に供給し、ろ過を行った。続いて、ナノろ過膜の透過水を、ポンプ２１により生物処理槽３に供給した。生物処理槽３は、ＰＰ製リング状ろ材15mm×15mmに予め別水槽にてバクテリア定着させたものを充填した１０Ｌの固定床とした。限外ろ過膜、生物処理槽への循環流量は、９５Ｌ／ｄとなるように調整した。
【０１００】
続いて、養殖槽あたり鯉１０匹（総量１０００ｇ）を投入し、飼育を開始した。給餌は1日1回、鯉用養魚飼料を、飼育魚の重量の２−４％添加した。水温は２５℃、また、エアーポンプを飼育槽１および生物処理槽に接続して、飼育槽内の溶存酸素量が４mg/L以上になるようにエアを供給した。飼育を開始後、限外ろ過膜、生物処理槽への送液を６０分に1度停止し、限外ろ過膜の一次側の水を排出した。また、ナノろ過膜の濃縮液については飼育装置外に排水した。これらの排出操作によって減った装置内飼育水と同量の水道水を養殖槽に追加した。
【０１０１】
本方法により飼育を１ヶ月継続したが、斃死は１匹でその他は問題なく飼育を継続した。
【０１０２】
（実施例８）
実施例７において、分離膜４に逆浸透膜（東レ（株）製逆浸透膜ＴＭ８１０Ｃ）を用いた以外は、同じ操作を行った。その結果、飼育１ヶ月を継続したが、斃死はなくその他は問題なく飼育を継続した。
【０１０３】
（実施例９）
本実施例においては、図２の構成の装置を用いた。まず、養殖槽１に水道水３０Ｌを取水した。次に水道水を、ポンプ１２により加圧して、養殖槽１から分離膜２（ポリフッ化ビニリデン製中空糸精密ろ過膜、孔径０．１μｍ、０．２m2）に供給し、全量ろ過を行った。続いて、精密ろ過膜の透過水をポンプ４１により加圧して分離膜４（ポリフッ化ビニリデン製中空糸限外ろ過膜、分画分子量１５００００、０．２m2）に供給し、ろ過を行った。続いて、限外ろ過膜の透過水を、ポンプ２１により生物処理槽３に供給した。生物処理槽３は、ＰＰ製リング状ろ材15mm×15mmに予め別水槽にてバクテリア定着させたものを充填した１０Ｌの固定床とした。限外ろ過膜、生物処理槽への循環流量は、９５Ｌ／ｄとなるように調整した。
【０１０４】
続いて、養殖槽あたり鯉６匹（総量６００ｇ）を投入し、飼育を開始した。給餌は1日1回、鯉用養魚飼料を、飼育魚の重量の２−４％添加した。水温は２５℃、また、エアーポンプを飼育槽１および生物処理槽に接続して、飼育槽内の溶存酸素量が４mg/L以上になるようにエアを供給した。飼育を開始後、精密ろ過膜、限外ろ過膜、生物処理槽への送液を６０分に1度停止し、精密ろ過膜と限外ろ過膜の一次側の水をそれぞれ排出した。これらの排出操作によって減った装置内飼育水と同量の水道水を養殖槽に追加した。
【０１０５】
本方法により飼育を１ヶ月継続したが、斃死は１匹でその他は問題なく飼育を継続した。
【０１０６】
（実施例１０）
本実施例においては、図１の構成の装置を用いた。まず、養殖槽１に水道水３０Ｌを取水した。次に水道水を、ポンプ１２により加圧して、養殖槽１から分離膜２（ポリフッ化ビニリデン製中空糸限外ろ過膜、分子量１５００００、東レ製ＨＦＵ膜を切り出して０．２m2のテスト用膜モジュールに加工）に供給し、全量ろ過を行った。続いて、透過水を、ポンプ２１により生物処理槽３に供給した。生物処理槽３は、ＰＰ製リング状ろ材15mm×15mmに予め別水槽にてバクテリア定着させたものを充填した１０Ｌの固定床とした。限外ろ過膜、生物処理槽への循環流量は、９５Ｌ／ｄとなるように調整した。
【０１０７】
続いて、養殖槽あたり鯉６匹（総量６００ｇ）を投入し、飼育を開始した。給餌は1日1回、鯉用養魚飼料を、飼育魚の重量の２−４％添加した。水温は２５℃、また、エアーポンプを飼育槽１および生物処理槽に接続して、飼育槽内の溶存酸素量が４mg/L以上になるようにエアを供給した。飼育を開始後、限外ろ過膜、生物処理槽への送液を６０分に1度停止し、限外ろ過膜の一次側の水を排出した。この排出操作によって減った装置内飼育水と同量の水道水を養殖槽に追加した。なお、給餌の直前の排出操作は行わなかった。
【０１０８】
本方法により飼育を１ヶ月継続したが、斃死は１匹でその他は問題なく飼育を継続した。しかしながら、限外ろ過膜の閉塞が早く、飼育1ヶ月時点で膜間差圧が２００ｋＰａに達したため、薬液洗浄を行う必要が生じた。
【０１０９】
（実施例１１）
本実施例においては、図３の構成の装置を用いた。まず、養殖槽１に水道水３０Ｌを取水した。次に水道水を、ポンプ１２により加圧して、養殖槽１から分離膜２（ポリフッ化ビニリデン製中空糸限外ろ過膜、分子量１５００００、東レ製ＨＦＵ膜を切り出して０．２m2のテスト用膜モジュールに加工）に供給し、１次側循環流路のエア抜きを行った後、ポンプ１５を始動させた。ポンプ１５で１次側を循環させながら、ポンプ１２で透過量と同量を循環流路に供給することで、クロスフローろ過を行った。続いて、透過水を、ポンプ２１により生物処理槽３に供給した。生物処理槽３は、ＰＰ製リング状ろ材15mm×15mmに予め別水槽にてバクテリア定着させたものを充填した１０Ｌの固定床とした。限外ろ過膜、生物処理槽への循環流量は、９５Ｌ／ｄとなるように調整した。
【０１１０】
続いて、養殖槽あたり鯉６匹（総量６００ｇ）を投入し、飼育を開始した。給餌は1日1回、鯉用養魚飼料を、飼育魚の重量の２−４％添加した。水温は２５℃、また、エアーポンプを飼育槽１および生物処理槽に接続して、飼育槽内の溶存酸素量が４mg/L以上になるようにエアを供給した。飼育を開始後、限外ろ過膜、生物処理槽への送液を６０分に1度停止し、限外ろ過膜の一次側循環路の水を排出した。また、給餌の直前にも同様の排出操作を行った。この排出操作によって減った装置内飼育水と同量の水道水を養殖槽に追加した。
【０１１１】
本方法により飼育を１ヶ月継続したが、斃死は１匹でその他は問題なく飼育を継続した。また、限外ろ過膜の膜間差圧はほとんど上昇しなかった。
【０１１２】
（実施例１２）
実施例１において、分離膜２、生物処理槽への循環流量を３倍の２８５Ｌ／ｄとし、鯉を１０匹（総量１０００ｇ）を投入した以外は、同じ操作を行った。その結果、飼育１ヶ月を継続したが、斃死はなくその他は問題なく飼育を継続した。
【０１１３】
（実施例１３）
実施例１において、分離膜２、生物処理槽への循環流量を１０倍の９５０Ｌ／ｄとし、鯉を１０匹（総量１０００ｇ）を投入した以外は、同じ操作を行った。その結果、飼育１ヶ月を継続したが、斃死はなくその他は問題なく飼育を継続した。
【０１１４】
（比較例２）
実施例８において、分離膜２を逆浸透膜、分離膜４を限外ろ過膜と逆にして飼育を行った。その結果、逆浸透膜の閉塞が著しく、運転開始から１週間で飼育の継続が困難となった。
【０１１５】
（比較例３）
実施例１において、分離膜２に、分画分子量２０００００のポリフッ化ビニリデン製中空糸限外ろ過膜を０．０５％ポリビニルアルコール水溶液に浸漬して放射線照射した膜を用いた以外は、同じ操作を行った。その結果、飼育１ヶ月を継続したが、斃死は１匹であった。一方、本分離膜の接触角は原水側表面、ろ過水側表面はともに８９°で、透過水中のタンパク質濃度は０．８ｍｇ／Ｌで、ろ過水に有機成分が多く、生物処理槽の負荷が高かった。
【産業上の利用可能性】
【０１１６】
本発明は、分離膜運転の長期安定性と飼育成績の向上を同時に実現させることができるため、広く微生物飼育用途において利用され、生産物である化学品を低コストで安定に生産することが可能となる。
【符号の説明】
【０１１７】
１  飼育槽
２  第１ろ過装置
３  生物処理装置
１１  配管
２１  配管
３１  配管
４  第２ろ過装置
４１  配管
５  温度制御部
６  差圧制御部
１２  ポンプ
２２  ポンプ
３２  ポンプ
５１  洗浄バルブ
５２  洗浄ポンプ
５３  配管
７０  ＤＯセンサー
７１  飼育槽気体供給装置
１３  第１ろ過装置２の分離膜を透過しなかった濃縮水を排出する配管
１４  第１ろ過装置２の分離膜の１次側を循環する配管
１５  第１ろ過装置２の分離膜の１次側を循環するポンプ
４２  第２ろ過装置４の分離膜を透過しなかった濃縮水を排出する配管
１００  飼育装置
【図１】
2020068777.tif 000003
【図２】
2020068777.tif 000004
【図３】
2020068777.tif 000005